(57)【要約】【課題】フィルタの底面に異物が堆積することを抑制可能なバラスト水処理装置を提供する。【解決手段】内部に流入した被処理水としてのバラスト水を濾過して濾過処理水として外部へ流出させる筒状で底部に底部形成部材１４を有するフィルタ５２であって、筒の中心軸Ｃを中心に回転するフィルタ５２と、フィルタ５２の内部に向けて被処理水が流通する被処理水導入ラインと、フィルタ５２の外周面に向かって逆洗水を噴射する逆洗水噴射ノズルと、フィルタ５２の一次側に設けられ、フィルタ５２の内周面に向かって開口する吸引ノズル４であって、逆洗水噴射ノズルから噴射され且つフィルタ５２を外周面から内周面に向けて通過した逆洗水である逆洗汚水を吸引する複数の吸引ノズル４と、回転しているフィルタ５２の底部形成部材１４の上面１４Ａに接触する接触部材１００と、を備える。【選択図】図２
2017100096.tif 000002
【特許請求の範囲】
【請求項１】
内部に流入した被処理水としてのバラスト水を濾過して濾過処理水として外部へ流出させる筒状で底部に底部形成部材を有するフィルタであって、筒の中心軸を中心に回転するフィルタと、
前記フィルタの内部に向けて被処理水が流通する被処理水導入ラインと、
前記フィルタの外周面に向かって逆洗水を噴射する逆洗水噴射ノズルと、
前記フィルタの一次側に設けられ、前記フィルタの内周面に向かって開口する吸引ノズルであって、前記逆洗水噴射ノズルから噴射され且つ前記フィルタを外周面から内周面に向けて通過した逆洗水である逆洗汚水を吸引する複数の吸引ノズルと、
回転している前記フィルタの前記底部形成部材の上面に接触する接触部材と、を備えるバラスト水処理装置。
【請求項２】
複数の前記吸引ノズルにより吸引された逆洗汚水が集合して、下方に向けて流通する逆洗汚水集合管を、更に備え、
前記底部形成部材は、前記被処理水導入ラインを貫通させるための底部開口部を有し、
前記逆洗汚水集合管は、前記底部開口部を貫通するように配置され、
前記接触部材は、前記フィルタの径方向に沿って延びており、前記接触部材の基端部は、前記逆洗汚水集合管に連結されている、
請求項１に記載のバラスト水処理装置。
【発明の詳細な説明】
【技術分野】
【０００１】
本発明は、内部に流入した被処理水を濾過して外部へ流出させる筒状のフィルタを有するバラスト水処理装置に関する。
【背景技術】
【０００２】
船舶に貯留されるバラスト水や、その他汚染物質を含んだ汚染水などの被処理水を濾過するものとして、内部に流入した被処理水を濾過して外部へ流出させる円筒状のフィルタを備えた濾過器がある。この濾過器で使用されるフィルタは、例えば、多数の穴を設けた金属薄板を円筒形に形成した支持体の内周面に、金網などの濾過体を円筒状に設けて構成される。
【０００３】
このように構成されるフィルタは、一方の開口部が被処理水入口となり、他方の開口部は閉鎖され、被処理水入口からフィルタの内側に流入した被処理水を内周面側の濾過体に通過させ、被処理水中の異物を捕捉する。そのため、フィルタの内面に異物が堆積し、異物の堆積量が多くなるに連れてフィルタの閉塞が進み、そのままにしておくと圧力損失が大きくなり、濾過流量が十分に得られなくなる。このような事態を防止するため、フィルタを洗浄して内面に堆積している異物を除去し、フィルタの濾過能力を維持する必要がある。
【０００４】
フィルタを洗浄する方法として、フィルタの二次側から濾過方向とは逆方向に処理水を流す逆洗浄が知られている。この逆洗浄によって異物が混在した水は、フィルタ内に設けられるフィルタ洗浄ヘッドであって、フィルタの内面に摺動可能に当接し、フィルタの内面を摺動するフィルタ洗浄ヘッドによって、吸引されて排出される（例えば、特許文献１参照。）。
【０００５】
特許文献１に例示されるこの種のフィルタ洗浄ヘッドは、運転中、フィルタの内面に常に接触状態を維持させるために、フィルタ内に配置された逆洗汚水排出管に接続されるヘッド基管の先端側に、フィルタの内面に当接する吸引ノズルが軸方向に摺動自在に嵌合していると共に、付勢部材であるコイルバネにより、吸引ノズルがフィルタの内面方向に付勢される構造となっている。このような構造において、ヘッド基管と吸引ノズルとの隙間からヘッド基管内へ被処理水が侵入することを防止するため、吸引ノズルの内面にシールリング装着溝が形成され、シールリング装着溝に装着したシールリング（シール部材）により、ヘッド基管と吸引ノズルとの間をシールしている。
【先行技術文献】
【特許文献】
【０００６】
【特許文献１】特表２００８−５０７３９１号公報
【発明の概要】
【発明が解決しようとする課題】
【０００７】
しかし、筒状のフィルタの底部には、被処理水中に混在する異物（浮遊粒子等）が溜まりやすい。底部に異物（浮遊粒子等）が堆積すると、微生物等が繁殖し、スライムになり、水質を悪化させる場合がある。また、堆積した異物や発生したスライムが底部近傍に配置される吸引ノズルにおけるフィルタの内面に当接する当接面の摩耗を促進させる場合がある。これにより、吸引ノズルの寿命が短くなる場合がある。また、前述の摩耗に起因して吸引ノズルとフィルタの内面との間に隙間が生じ、吸引ノズルとフィルタの内面との良好な接触状態を維持させることができなくなる虞がある。これにより、洗浄不良が生じる場合がある。
【０００８】
本発明は、フィルタの底面に異物が堆積することを抑制可能なバラスト水処理装置を提供することを目的とする。
【課題を解決するための手段】
【０００９】
本発明は、内部に流入した被処理水としてのバラスト水を濾過して濾過処理水として外部へ流出させる筒状で底部に底部形成部材を有するフィルタであって、筒の中心軸を中心に回転するフィルタと、前記フィルタの内部に向けて被処理水が流通する被処理水導入ラインと、前記フィルタの外周面に向かって逆洗水を噴射する逆洗水噴射ノズルと、前記フィルタの一次側に設けられ、前記フィルタの内周面に向かって開口する吸引ノズルであって、前記逆洗水噴射ノズルから噴射され且つ前記フィルタを外周面から内周面に向けて通過した逆洗水である逆洗汚水を吸引する複数の吸引ノズルと、回転している前記フィルタの前記底部形成部材の上面に接触する接触部材と、備えるバラスト水処理装置に関する。
【００１０】
また、バラスト水処理装置は、複数の前記吸引ノズルにより吸引された逆洗汚水が集合して、下方に向けて流通する逆洗汚水集合管を、更に備え、前記底部形成部材は、前記被処理水導入ラインを貫通させるための底部開口部を有し、前記逆洗汚水集合管は、前記底部開口部を貫通するように配置され、前記接触部材は、前記フィルタの径方向に沿って延びており、前記接触部材の基端部は、前記逆洗汚水集合管に連結されていることが好ましい。
【発明の効果】
【００１１】
本発明によれば、フィルタの底面に異物が堆積することを抑制可能なバラスト水処理装置を提供することができる。
【図面の簡単な説明】
【００１２】
【図１】本発明の実施形態におけるバラスト水処理装置１を示すフロー図である。
【図２】接触部材１００の取り付け状態を説明する部分拡大図である。
【図３】接触部材１００を説明する平面図である。
【図４】接触部材１００の作用を説明する側面図である。
【発明を実施するための形態】
【００１３】
本発明の実施形態におけるバラスト水処理装置１について、図面を参照しながら説明する。図１は、本発明の実施形態におけるバラスト水処理装置１を示すフロー図である。
〔第１実施形態〕
図１に示すように、バラスト水処理装置１は、バラスト水濾過装置２と、紫外線リアクタ６１と、逆洗水供給手段７と、制御部９と、を備える。制御部９は、制御対象の各機器を制御可能に、各機器に信号線（不図示）により接続されている。バラスト水処理装置１には、その外部構成として、バラストタンク６２が接続されている。
【００１４】
バラスト水処理装置１は、ラインとして、被処理水導入ラインＬ１と、被処理水排出ラインＬ２と、処理水ラインＬ１１と、貯留処理水排出ラインＬ１２と、逆洗水流通ラインＬ２１と、エア抜きラインＬ３１と、を備える。「ライン」とは、流路、経路、管路等の流体の流通が可能なラインの総称である。
【００１５】
バラスト水濾過装置２は、ケーシング５１と、フィルタ５２と、フィルタ回転手段３と、吸引ノズル４と、逆洗水噴射ノズル６と、逆洗汚水排出手段５と、を備える。
【００１６】
ケーシング５１は、円筒状であり、その内部にフィルタ５２を収納する。フィルタ５２は、全体視で円筒状であり、内部に流入した被処理水（バラスト水）Ｗ１（主に海水）を濾過してバラスト水（濾過処理水）Ｗ２として外部へ流出させる。フィルタ回転手段３は、フィルタ５２を、その軸心を中心に回転させる。複数の吸引ノズル４は、フィルタ５２の内部に設けられる。複数の吸引ノズル４は、フィルタ５２の一次側に設けられ、フィルタ５２の内周面（内面）に向かって開口する。
【００１７】
複数の吸引ノズル４は、逆洗水噴射ノズル６から噴射され且つフィルタ５２を外周面から内周面に向けて通過した逆洗水である逆洗汚水Ｗ１１を吸引する。複数の吸引ノズル４が吸引する逆洗汚水Ｗ１１には、フィルタ５２の内周面から剥離された異物（浮遊粒子ＳＳ）が含まれる。
【００１８】
逆洗水噴射ノズル６は、フィルタ５２の二次側に設けられ、フィルタ５２の外周面に向かって、バラスト水処理運転中に逆洗水を噴射する。逆洗水噴射ノズル６からの逆洗水の噴射は、ケーシング５１及びフィルタ５２の内部にバラスト水（Ｗ２，Ｗ１）が存在する（満たされる）状態で行われる。
【００１９】
逆洗汚水排出手段５は、吸引ノズル４で吸引された逆洗汚水Ｗ１１を、ケーシング５１の内部から外部へ排出する。制御部９は、フィルタ５２の一次側と二次側との差圧などに基づいて、逆洗水の噴射の有無、逆洗水の噴射時の噴射圧力などを制御する。バラスト水濾過装置２の詳細については後述する。
【００２０】
紫外線リアクタ６１は、バラスト水濾過装置２のフィルタ５２により濾過されたバラスト水（濾過処理水）Ｗ２に対して紫外線を照射して殺菌を行う。
バラストタンク６２は、紫外線リアクタ６１により紫外線の照射が行われたバラスト水（濾過処理水）Ｗ２を、貯留処理水Ｗ３として貯留する。
また、紫外線リアクタ６１は、バラストタンク６２に貯留されるバラスト水（貯留処理水）Ｗ３を船外へ排出する際に、貯留処理水Ｗ３に対して紫外線を照射して殺菌を行う。
【００２１】
次に、各ラインについて詳述する。被処理水導入ラインＬ１は、一端部から被処理水Ｗ１（主に海水）が導入され、他端部において被処理水導入口２０に接続しており、被処理水Ｗ１がバラスト水濾過装置２の被処理水導入口２０に向けて流通するラインである。被処理水導入ラインＬ１には、汲み上げポンプＰ１、バルブＶ１、接続部Ｊ１、被処理水導入口２０がこの順で設けられている。被処理水導入ラインＬ１は、フィルタ５２の内部に向けて被処理水が流通する被処理水導入ラインである。
被処理水排出ラインＬ２は、一端部において被処理水導入ラインＬ１の接続部Ｊ１に接続しており、他端部からフィルタ５２内の水（バラスト水Ｗ１）が排出されるラインである。
【００２２】
処理水ラインＬ１１は、一端部においてバラスト水濾過装置２の処理水流出口２６に接続しており、他端部においてバラストタンク６２に接続しており、バラスト水濾過装置２で濾過処理されたバラスト水（濾過処理水）Ｗ２がバラストタンク６２に向けて流通するラインである。処理水ラインＬ１１には、処理水流出口２６、接続部Ｊ２１、バルブＶ１１、接続部Ｊ１１、紫外線リアクタ６１、バルブＶ１２、バラストタンク６２がこの順で設けられている。
【００２３】
貯留処理水排出ラインＬ１２は、一端部において処理水ラインＬ１１の接続部Ｊ１１に接続しており、他端部からバラスト水（貯留処理水）Ｗ３を排出するラインである。貯留処理水排出ラインＬ１２には、接続部Ｊ１１、バルブＶ１３、貯留処理水排出ポンプＰ１１がこの順で設けられている。
【００２４】
逆洗水流通ラインＬ２１は、一端部において処理水ラインＬ１１の接続部Ｊ２１に接続しており、他端部において逆洗水噴射ノズル６に接続しているラインである。逆洗水流通ラインＬ２１には、バラスト水（濾過処理水）Ｗ２が逆洗水噴射ノズル６に向けて流通する。逆洗水流通ラインＬ２１には、接続部Ｊ２１、バルブＶ２１、逆洗水加圧ポンプＰ２１、逆洗水噴射ノズル６がこの順で設けられている。
【００２５】
ラインの各所には、各種のバルブ及びポンプが設けられている。具体的には、被処理水導入ラインＬ１における接続部Ｊ１よりも上流側には、汲み上げポンプＰ１が設けられている。汲み上げポンプＰ１は、被処理水導入ラインＬ１の一端部から被処理水Ｗ１（主に海水）を汲み上げる。被処理水導入ラインＬ１における汲み上げポンプＰ１と接続部Ｊ１との間には、バルブＶ１が設けられている。被処理水排出ラインＬ２には、バルブＶ２が設けられている。
【００２６】
処理水ラインＬ１１における処理水流出口２６と紫外線リアクタ６１との間（詳細には、接続部Ｊ２１と接続部Ｊ１１との間）には、バルブＶ１１が設けられている。処理水ラインＬ１１における紫外線リアクタ６１とバラストタンク６２との間には、バルブＶ１２が設けられている。貯留処理水排出ラインＬ１２には、バルブＶ１３及び貯留処理水排出ポンプＰ１１が設けられている。
【００２７】
逆洗水流通ラインＬ２１における接続部Ｊ２１と逆洗水加圧ポンプＰ２１との間には、バルブＶ２１が設けられている。逆洗水流通ラインＬ２１におけるバルブＶ２１と逆洗水噴射ノズル６との間には、逆洗水加圧ポンプＰ２１が設けられている。逆洗水加圧ポンプＰ２１は、逆洗水流通ラインＬ２１を流通する水を加圧する。
【００２８】
次に、バラスト水濾過装置２の詳細について説明する。ケーシング５１は、上部開口部及び下部開口部を有する円筒状に形成されており、上部開口部が蓋部１０で密閉され、下部開口部が底部１１で密閉されている。蓋部１０には、エア抜きラインＬ３１が接続されている。エア抜きラインＬ３１には、ケーシング５１の内部のエアを抜くためのエア抜きバルブＶ３１が設けられている。
【００２９】
フィルタ５２は、上部開口部及び下部開口部を有し、全体視で円筒状に形成されている。フィルタ５２の詳細については後述する。ケーシング５１とフィルタ５２との間には、処理水流出空間２７が形成される。上部開口部は、上閉止部１３で密閉されている。下部開口部は、下閉止部１４（底部形成部材）及び後述する下部回転軸部材１６とで密閉されている。
【００３０】
下閉止部１４は、被処理水導入ラインＬ１を貫通させるための底部開口部５９を有する。底部開口部５９には、後述する逆洗汚水集合管２８が貫通して配置される。下閉止部１４は、平板状の部材である。下閉止部１４の上面１４Ａは平滑な面である。下閉止部１４における上面１４Ａ側には、上面１４Ａに異物（浮遊粒子ＳＳ）が堆積することを抑制する接触部材１００が配置される。接触部材１００については、後に詳述する。
【００３１】
フィルタ回転手段３は、上部回転軸部材１５と、下部回転軸部材１６と、上部回転軸部材１５を回転させるモータ１７とで構成されている。上部回転軸部材１５は、フィルタ５２の上閉止部１３に、フィルタ５２の軸心位置に軸心方向上向きに突設して設けられている。下部回転軸部材１６は、フィルタ５２の下閉止部１４に、フィルタ５２の軸心位置に軸心方向下向きに突設して設けられている。
【００３２】
上部回転軸部材１５は、ケーシング５１の蓋部１０を貫通し且つシーリングされた軸受部材１８を介して、蓋部１０に回転自在に且つ液密に支持されている。下部回転軸部材１６は、ケーシング５１の底部１１を貫通し且つシーリングされた軸受部材１９を介して、底部１１に回転自在に且つ液密に支持されている。下部回転軸部材１６は、フィルタ５２の内部と連通する管状体となっており、ケーシング５１の底部１１からケーシング５１の外部に突出する。下部回転軸部材１６には、ケーシング５１への被処理水導入口２０が接続されている。
【００３３】
被処理水導入口２０には、被処理水導入ラインＬ１が接続されている。ケーシング５１の側部には、処理水流出口２６が設けられている。処理水流出口２６には、処理水ラインＬ１１が接続されている。
被処理水導入ラインＬ１を流通し且つ被処理水導入口２０から導入された被処理水Ｗ１は、下部回転軸部材１６を通ってフィルタ５２の内部に入る。その被処理水Ｗ１は、フィルタ５２を通過して濾過されて、ケーシング５１とフィルタ５２との間に形成される処理水流出空間２７に入り、処理水流出口２６から流出する。
【００３４】
逆洗汚水排出手段５は、逆洗汚水ラインとしての逆洗汚水集合管２８と、逆洗汚水ラインとしての逆洗汚水排出管２９と、バルブＶ３２とを備える。逆洗汚水集合管２８は、吸引ノズル４に接続する。逆洗汚水集合管２８には、吸引ノズル４で吸引された逆洗汚水Ｗ１１が集合する。逆洗汚水集合管２８は、複数の吸引ノズル４により吸引された逆洗汚水Ｗ１１を集合させて、下方に向けて流通させる。逆洗汚水排出管２９は、逆洗汚水集合管２８の下端部に接続し、逆洗汚水Ｗ１１を外部へ排出する。バルブＶ３２は、逆洗汚水排出管２９に設けられている。
【００３５】
逆洗汚水集合管２８においては、上端部が閉鎖し、下端部が開口している。逆洗汚水集合管２８は、フィルタ５２の軸心に配置されている。逆洗汚水集合管２８の上端部は、フィルタ５２の上閉止部１３の中央に設けられた孔に、嵌合して支持されている。逆洗汚水集合管２８の下部は、底部開口部５９を貫通するように配置される。詳細には、逆洗汚水集合管２８の下端部は、フィルタ５２の下閉止部１４の下部回転軸部材１６の内部を、フィルタ５２の回転を妨げないように通り、ケーシング５１の被処理水導入口２０に固定されて支持されている。
【００３６】
逆洗水噴射ノズル６は、ケーシング５１の側部に設けられており、ケーシング５１の内部に開口している。逆洗水噴射ノズル６は、フィルタ５２の軸方向全域に逆洗水を噴射できることが好ましい。逆洗水噴射ノズル６の構成は特に限定されるものではない。例えば、逆洗水噴射ノズル６を、フィルタ５２の軸方向に直線状及び／又は周方向に角度を変えて複数配置することができる。周方向に角度を変えて複数配置される逆洗水噴射ノズル６は、同じ高さに配置してもよく、或いは高さを変えて配置してもよい。本実施形態においては、逆洗水噴射ノズル６は、複数配置された各吸引ノズル４と同周上に位置し、且つ、フィルタ５２の回転方向に対向する方向に向かって、吸引ノズル４の前に位置するように設けられている。なお、逆洗水噴射ノズル６は、各吸引ノズル４と対向するそれぞれの位置に設けられていてもよく、或いは、フィルタ５２の回転方向に対向する方向に向かって、吸引ノズル４の後に位置するように設けられていてもよい。
【００３７】
逆洗水供給手段７は、フィルタ５２で濾過処理された濾過処理水Ｗ２を加圧して、逆洗水Ｗ２として逆洗水噴射ノズル６に供給する。逆洗水供給手段７は、逆洗水加圧ポンプＰ２１、バルブＶ２１などから構成される。
【００３８】
逆洗水噴射ノズル６は、フィルタ５２の外周面（二次側）に逆洗水Ｗ２を噴射して、フィルタ５２の一次側に堆積した異物を剥離する。剥離した直後に吸引ノズル４による吸引が行われる。逆洗水噴射ノズル６から噴射された逆洗水Ｗ２によりフィルタ５２から剥離した異物は、逆洗汚水排出管２９に設けられたバルブＶ３２を開くことにより、吸引ノズル４により効果的に吸引される。バルブＶ３２の二次側の圧力は大気圧に開放されているため、逆洗汚水集合管２８の内部の圧力がフィルタ５２の二次側の圧力よりも低くなり、フィルタ５２の二次側にある濾過処理水Ｗ２の一部及び逆洗水噴射ノズル６から噴射した逆洗水Ｗ２は、逆洗汚水Ｗ１１となって逆洗汚水集合管２８の内部を流通し、逆洗汚水排出管２９から外部へ排出される。
【００３９】
逆洗水噴射ノズル６に供給される逆洗水としては、本実施形態においては、フィルタ５２で濾過処理された濾過処理水Ｗ２が用いられる。
【００４０】
続けて、接触部材１００について説明する。図２は、接触部材１００の取り付け状態を説明する部分拡大図である。図３は、接触部材１００を説明する平面図である。
図２及び図３に示すように、接触部材１００は、回転しているフィルタ５２の下閉止部１４（底部形成部材）における上面１４Ａに接触するように配置される。本実施形態において、接触部材１００は、回転していないフィルタ５２においても、その下閉止部１４（底部形成部材）の上面１４Ａに接触するように配置される。また、接触部材１００は、フィルタ５２の径方向（直線Ｔが延びる方向であり、以下「径方向Ｔ」ともいう）に沿って延びるように配置される。
【００４１】
接触部材１００は、基端部材１１０（基端部）と、先端部材１１３と、スクレーパ部材１１５と、を有する。
基端部材１１０は、フィルタ５２の径方向Ｔにおける中心軸Ｃ側に配置される部材である。基端部材１１０は、フィルタ５２の径方向Ｔにおける中心軸Ｃ側の基端部材１１０の端部において、後述する取付け部材１２０に固定されている。基端部材１１０には、先端部材１１３が取り付けられる。本実施形態において、基端部材１１０は、金属製の部材である。
【００４２】
先端部材１１３は、フィルタ５２の径方向Ｔにおける外側に配置される部材である。先端部材１１３は、フィルタ５２の径方向Ｔにおける外側の基端部材１１０の端部において、フィルタ５２の内周面に近接して配置される。先端部材１１３は、２組のボルト１１８及びナット１１９により、基端部材１１０に取り付けられる。また、先端部材１１３には、スクレーパ部材１１５が取り付けられる。本実施形態において、先端部材１１３は、金属製の部材である。
【００４３】
スクレーパ部材１１５は、先端部材１１３に取り付けられ、フィルタ５２の径方向Ｔにおける外側に配置される部材である。スクレーパ部材１１５は、下閉止部１４（底部形成部材）の上面１４Ａに接触する部材である。スクレーパ部材１１５は、下閉止部１４（底部形成部材）の上面１４Ａ上の異物（浮遊粒子ＳＳ等）を掻き取り、上方に巻き上げる部材である。本実施形態において、スクレーパ部材１１５は、ゴム等の弾性を有する材料により形成される。
【００４４】
本実施形態において、接触部材１００の基端部は、逆洗汚水集合管２８に連結される。接触部材１００は、取付け部材１２０及びＵ字部材１２２、１２３により、逆洗汚水集合管２８に連結されている。詳細には、上述の通り、取付け部材１２０には、基端部材１１０におけるフィルタ５２の径方向中心側の端部が固定されている。そして、取付け部材１２０がＵ字部材１２２、１２３及びナット１２５、１２６により逆洗汚水集合管２８に連結されることで、接触部材１００の基端部は、逆洗汚水集合管２８に連結される。
【００４５】
ここで、上述の通り、接触部材１００は、フィルタ５２の径方向Ｔに沿って延びるように配置される。詳細には、接触部材１００は、スクレーパ部材１１５の先端部（上面１４Ａに接触する部分）がフィルタ５２の中心軸Ｃから径方向Ｔに沿うように配置される。これにより、接触部材１００（スクレーパ部材１１５）が上面１４Ａに接触する際に生じる振動を抑制できる。
【００４６】
続けて、本実施形態のバラスト水処理装置１の主な動作について簡単に説明する。
（１）バラスト水濾過装置２による被処理水Ｗ１の濾過処理（バラスト水処理運転）
バルブＶ１、バルブＶ１１及びバルブＶ１２を開き、バルブＶ２、バルブＶ１３、バルブＶ２１、バルブＶ３１及びバルブＶ３２を閉じる。この状態で、汲み上げポンプＰ１を駆動させる。これにより、被処理水導入ラインＬ１の一端部から流入した被処理水Ｗ１は、被処理水導入ラインＬ１を流通する。被処理水導入口２０から導入された被処理水Ｗ１は、フィルタ５２で濾過処理され、濾過処理水Ｗ２として処理水流出口２６から排出される。濾過処理水Ｗ２は、処理水ラインＬ１１を流通し、紫外線リアクタ６１により紫外線処理され、バラストタンク６２に貯留処理水Ｗ３として貯留される。
【００４７】
（２）逆洗水噴射ノズル６によるフィルタ５２の逆洗処理（バラスト水処理運転中の逆洗）
バルブＶ１、バルブＶ１１、バルブＶ１２、バルブＶ２１及びバルブＶ３２を開き、他のバルブを閉じて、濾過処理水Ｗ２（逆洗水Ｗ２）が逆洗水噴射ノズル６に向けて流通する状態とする。そして、ケーシング５１及びフィルタ５２の内部にバラスト水（Ｗ２，Ｗ１）が存在した状態で、逆洗水加圧ポンプＰ２１及び吸引ノズル４の吸引を稼働させる。これにより、逆洗水噴射ノズル６からの逆洗水（濾過処理水）Ｗ２は、フィルタ５２に向けて噴射され、逆洗が行われる。
【００４８】
（３）バラストタンク６２から外部への貯留処理水Ｗ３の排水処理
バルブＶ１２及びバルブＶ１３を開き、バルブＶ１１を閉じる。この状態で貯留処理水排出ラインＬ１２に設けられた貯留処理水排出ポンプＰ１１を稼働させる。これにより、バラストタンク６２に貯留される貯留処理水Ｗ３は、紫外線リアクタ６１により紫外線処理され、処理水ラインＬ１１及び貯留処理水排出ラインＬ１２を介して外部に排出される。
【００４９】
続けて、接触部材１００の作用について説明する。図４は、接触部材１００の作用を説明する側面図である。
図４に示すように、接触部材１００におけるスクレーパ部材１１５は、回転しているフィルタ５２の下閉止部１４における上面１４Ａに接触する。スクレーパ部材１１５は、下閉止部１４における上面１４Ａ上の異物（浮遊粒子ＳＳ等）を掻き取り、上方に巻き上げる。換言すると、接触部材１００は、下閉止部１４における上面１４Ａ上から浮遊粒子ＳＳ等の異物を除去し、上方に巻き上げる。これにより、下閉止部１４における上面１４Ａに浮遊粒子ＳＳ等の異物が堆積することが抑制される。
【００５０】
接触部材１００により下閉止部１４における上面１４Ａから除去された浮遊粒子ＳＳ等の異物は、被処理水（バラスト水）Ｗ１と共に濾過処理されることで、フィルタ５２の内面に付着する。そして、内面に付着した浮遊粒子ＳＳ等の異物は、吸引ノズル４により吸引されると共に逆洗汚水集合管２８に集合され、フィルタ５２の外部に排出される。
【００５１】
本実施形態のバラスト水処理装置１によれば、例えば、次のような効果を奏する。
本実施形態において、バラスト水処理装置１は、回転しているフィルタ５２の下閉止部１４における上面１４Ａに接触する接触部材１００を備える。そのため、接触部材１００（スクレーパ部材１１５）は、回転しているフィルタ５２の下閉止部１４における上面１４Ａ上の異物（浮遊粒子ＳＳ等）を掻き取り（除去し）、上方に巻き上げる。これにより、下閉止部１４における上面１４Ａに浮遊粒子ＳＳ等の異物が堆積することが抑制される。また、これにより、浮遊粒子ＳＳ等の異物の堆積を原因とするスライムの発生等が抑制される。また、これにより、水質の悪化を抑制できる。また、これにより、堆積した異物や発生したスライムが底部近傍に配置される吸引ノズル４におけるフィルタ５２の内面に当接する当接面を摩耗させることを抑制できる。これにより、吸引ノズル４の寿命が短くなることを抑制できる。また、これにより、前述の摩耗に起因して吸引ノズル４とフィルタ５２の内面との間に隙間が生じ、吸引ノズル４とフィルタ５２の内面との接触状態が悪化することを抑制できる。これにより、被処理水における洗浄不良の発生を抑制できる。
【００５２】
また、本実施形態において、接触部材１００は、フィルタ５２の径方向Ｔに沿って延びるように配置される。詳細には、接触部材１００は、スクレーパ部材１１５の先端部（上面１４Ａに接触する部分）がフィルタ５２の中心軸Ｃから径方向Ｔに沿うように配置される。これにより、接触部材１００（スクレーパ部材１１５）が上面１４Ａに接触する際に生じる振動を抑制できる。
【００５３】
以上、本発明の好ましい実施形態について説明した。しかし、本発明は、上述した実施形態に限定されることなく、種々の形態で実施することができる。
本実施形態において、接触部材は、スクレーパ部材を使用しているが、これに限定されず、ブラシやモップを使用してもよい。この場合、接触部材１００は、下閉止部１４における上面１４Ａ上の浮遊粒子ＳＳ等の異物を掃くようにして除去すると共に上方に巻き上げる。
【符号の説明】
【００５４】
１      バラスト水処理装置
４      吸引ノズル
６      逆洗水噴射ノズル
１４    下閉止部（底部形成部材）
１４Ａ  上面
２８    逆洗汚水排出管
５１    ケーシング
５２    フィルタ
５９    底部開口部
１００  接触部材
１１０  基端部材
１１３  先端部材
１１５  スクレーパ部材
Ｌ１    被処理水導入ライン
Ｗ１    被処理水
Ｗ２    逆洗水
【図１】
2017100096.tif 000003
【図２】
2017100096.tif 000004
【図３】
2017100096.tif 000005
【図４】
2017100096.tif 000006